(57)【要約】【課題】  メインスイッチがオンの場合において測位に必要な電力の低減を図ることができる撮像装置を提供する。【解決手段】  撮影レンズを介して入射した被写体光を撮像する撮像部６と、自己位置を測位する測位部２０と、前記撮像部による動画撮影時または前記撮像部による静止画撮影の撮影準備動作時に前記測位部による前記自己位置の測位を停止させる測位制御部１８とを備える。【選択図】  図１
2012039571.tif 000002
【特許請求の範囲】
【請求項１】
撮影レンズを介して入射した被写体光を撮像する撮像部と、
自己位置を測位する測位部と、
前記撮像部による動画撮影時または前記撮像部による静止画撮影の撮影準備動作時に前記測位部による前記自己位置の測位を停止させる測位制御部と
を備えることを特徴とする撮像装置。
【請求項２】
前記撮影準備動作は、オートフォーカス動作またはズーム動作であることを特徴とする請求項１記載の撮像装置。
【請求項３】
前記測位制御部は、前記測位部に対する電力供給の停止または前記測位部に対する演算の停止の指示により前記測位部における前記自己位置の測位を停止させることを特徴とする請求項１または２記載の撮像装置。
【請求項４】
前記測位制御部は、前記撮影レンズの交換が行われている場合に前記自己位置の測位を停止させることを特徴とする請求項１〜３の何れか一項に記載の撮像装置。
【請求項５】
各種設定を行うメニュー操作を受け付ける操作部を備え、
前記測位制御部は、前記メニュー操作が行われている場合に前記自己位置の測位を停止させることを特徴とする請求項１〜４の何れか一項に記載の撮像装置。
【発明の詳細な説明】
【技術分野】
【０００１】
本発明は、撮像装置に関するものである。
【背景技術】
【０００２】
従来、測位機能を備える撮像装置が知られている（例えば、特許文献１参照）。この撮像装置においては、メインスイッチがオフである場合に定期的な測位を行う際の電源供給をＧＰＳモジュールに対してのみ行い、他のブロックに対しては非供給とすることで低消費電力化を図っている。
【先行技術文献】
【特許文献】
【０００３】
【特許文献１】特開２０１０−３８６８１号公報
【発明の概要】
【発明が解決しようとする課題】
【０００４】
しかし、この撮像装置においては、カメラのメインスイッチがオンである場合においてＧＰＳモジュールの駆動を行う際の低消費電力化は考慮されていなかった。
【０００５】
本発明の目的は、メインスイッチがオンの場合において測位に必要な電力の低減を図ることができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明に係る撮像装置は、撮影レンズを介して入射した被写体光を撮像する撮像部（６）と、自己位置を測位する測位部（２０）と、前記撮像部による動画撮影時または前記撮像部による静止画撮影の撮影準備動作時に前記測位部による前記自己位置の測位を停止させる測位制御部（１８）とを備えることを特徴とする。
【発明の効果】
【０００８】
本発明に係る撮像装置によれば、メインスイッチがオンの場合において測位に必要な電力の低減を図ることができる。
【図面の簡単な説明】
【０００９】
【図１】本発明の実施の形態に係るカメラのシステム構成を示すブロック図である。
【図２】本発明の実施の形態に係るカメラのＧＰＳモジュールに対する電力供給処理を示すフローチャートである。
【発明を実施するための形態】
【００１０】
以下、図面を参照して本発明の実施の形態に係るカメラについて説明する。図１は、実施の形態に係るカメラのシステム構成を示すブロック図である。カメラ２は、ズームレンズやフォーカシングレンズを含む複数のレンズ群で構成される撮影光学系４、撮影光学系４を介して入射した被写体光を撮像して撮像信号（蓄積電荷としてのアナログ信号）を生成するＣＣＤ或いはＣＭＯＳ等により構成される撮像素子６、撮像信号に対して相関二重サンプリングやゲイン調整等のアナログ処理を行うと共にアナログ処理後の画像信号をデジタル画像データに変換するＡＦＥ（Analog Front End）回路８、画像データに対して画像処理（色補完処理、階調変換処理、輪郭強調処理、ホワイトバランス調整処理等）を行う画像処理回路１０、液晶パネルによって構成され撮影画像やメニュー画面等を表示するＬＣＤ表示部１２、ＣＰＵ１８のワークメモリとして利用される他、画像処理回路１０による画像処理の前工程や後工程での画像データを一時的に記憶するＲＡＭ１４、ＣＰＵ１８に実行させるプログラムを記憶するフラッシュメモリ１６、フラッシュメモリ１６が記憶するプログラムを実行しカメラ２の制御を行う他、オートフォーカス（ＡＦ）動作制御を行うＣＰＵ１８、ＧＰＳ衛星からの電波を受信し、受信信号に含まれる情報を用いて演算を行い、緯度、経度、高度等の測位データを算出するＧＰＳモジュール２０、ＣＰＵ１８及びＧＰＳモジュール２０に対して電力を供給する電源制御回路２２、カメラ２の電源のオン／オフ操作、ズーム操作、動画撮影や静止画撮影の指示を行う操作部材２６を備えている。
【００１１】
また、電源制御回路２２には電力を供給するバッテリ２８が接続され、電源制御回路２２は、バッテリ２８から供給された電力をＧＰＳモジュール２０に対して供給し、また、ＣＰＵ１８を介してカメラ２の各部に供給する。なお、カメラ２に図示しないＡＣアダプタが接続され電力の供給を受ける場合にはＣＰＵ１８を介してカメラ２の各部に電力を供給する他、バッテリ２８の充電を行ってもよい。
【００１２】
なお、画像処理回路１０、ＬＣＤモニタ１２、ＲＡＭ１４、フラッシュメモリ１６、ＣＰＵ１８は、バス３０を介してそれぞれ接続されている。
【００１３】
次に、図２に示すフローチャートを参照して実施の形態に係るカメラの電力供給処理について説明する。操作部材２６を用いてカメラ２の電源がオンにされると、電源制御回路２２はバッテリ２８から供給された電力をＣＰＵ１８及びＧＰＳモジュール２０に対して供給する（ステップＳ１）。
【００１４】
ＧＰＳモジュール２０は、電力の供給が開始されると電源がオンとなり（ステップＳ２）、測位を開始する（ステップＳ３）。ＧＰＳモジュール２０は、測位データを算出すると、ＣＰＵ１８に対して測位データを出力する（ステップＳ４）。
【００１５】
ＣＰＵ１８は、測位データを取得すると（ステップＳ５）、ＲＡＭ１４の所定の領域に測位データを上書きして記憶する（ステップＳ６）。次に、ＣＰＵ１８は、動画撮影モードが設定され動画撮影中であるか否かを判定する（ステップＳ７）。ここで動画撮影を行っていないと判定した場合には、撮影光学系４に含まれるフォーカシングレンズを図示しない駆動部により光軸方向に移動させるＡＦ動作中であるか否かの判定を行う（ステップＳ８）。ＡＦ動作中ではないと判定した場合には、撮影光学系４に含まれるズームレンズを図示しない駆動部により光軸方向に移動させるズーム動作中であるか否かの判定を行う（ステップＳ９）。ズーム動作中でないと判定した場合には、ステップＳ５に示す処理に戻り、測位データの取得を行い、ステップＳ５〜ステップＳ９の処理を繰り返す。ここで、ＧＰＳモジュール２０は、１秒毎など所定間隔毎に測位（ステップＳ３）及び即位データの出力（ステップＳ４）を行う。従って、動画撮影、ＡＦ動作及びズーム動作の何れの動作も行っていない場合には、ステップＳ５〜ステップＳ９の処理が１秒などの所定時間間隔で行なわれる。
【００１６】
一方、ステップＳ７において動画撮影中であると判定した場合、ステップＳ８においてＡＦ動作中であると判定した場合、及びステップＳ９においてズーム動作中であると判定した場合には電源制御回路２２はＧＰＳモジュール２０に対する電力の供給を停止する（ステップＳ１０）。これによりＧＰＳモジュール２０の電源はオフとなり、測位を停止する（ステップＳ１１）。
【００１７】
次に、ＣＰＵ４はカメラ２が動画撮影、ＡＦ動作及びズーム動作のうちの何れかの動作を行っているか否かを判定する（ステップＳ１２）。動画撮影、ＡＦ動作、及びズーム動作のうちの何れかの動作を行っていると判定した場合には、ステップＳ１２に示す処理を繰り返す。
【００１８】
一方、動画撮影、ＡＦ動作及びズーム動作の何れの動作も行っていないと判定した場合には、カメラ２のメインスイッチのオフ操作がされたか否かの判定を行う（ステップＳ１３）。オフ操作が行われていないと判定した場合には、ステップＳ１に示す処理に戻り、ＧＰＳモジュール２０による測位を再開する。一方、メインスイッチのオフ操作が行われたと判定した場合には処理を終了する。
【００１９】
なお、動画撮影により得られた動画データに測位データを付加してメモリカード等の記録媒体に記録する場合には、ステップＳ６に示す処理によりＲＡＭ１４の所定の領域に記憶されている動画撮影開始直前または画像データの記録直前の測位データを付加する。また、静止画撮影により得られた静止画データに測位データを付加してメモリカード等の記録媒体に記録する場合には、ステップＳ６に示す処理によりＲＡＭ１４の所定の領域に記憶されている静止画撮影開始直前または画像データの記録直前の測位データを付加する。
【００２０】
本実施の形態に係るカメラによれば、メインスイッチがオンの場合において測位が不必要であるときには測位を停止するため、測位に必要な電力の低減を図ることができる。また、撮影開始直前または画像データの記録媒体への記録直前の測位データを保持しておき、これを画像データに付加するため、動画撮影、ＡＦ動作及びズーム動作のうちの何れかが行なわれている場合に、ＧＰＳモジュール２０による測位を停止しても、画像データに付加する測位データへの影響は無い。
【００２１】
なお、上述の実施の形態においては、ＧＰＳモジュール２０はカメラ２に内蔵されたものであっても外付けの装置であってもよい。
【００２２】
また、上述の実施の形態において、図２のフローチャートのステップＳ１０に示す処理において電源制御回路２２がＧＰＳモジュール２０に対する電力の供給を停止することによりＧＰＳモジュール２０における測位を停止させる構成を説明したが、ＣＰＵ１８からＧＰＳモジュール２０に対して測位のための演算の停止を指示することによりＧＰＳモジュール２０における測位を停止する構成としてもよい。
【００２３】
また、上述の実施の形態においては、動画撮影中、ＡＦ動作中及びズーム動作中である場合には測位を停止する構成を説明したが、撮影光学系４が備える撮影レンズが交換式である場合の撮影レンズの交換中においてＧＰＳモジュール２０における測位を停止する構成としてもよい。また、操作部材２６を用いてＬＣＤ表示部１２に表示されたメニュー画面の操作を行なっている場合に、ＧＰＳモジュール２０における測位を停止する構成としてもよい。
【符号の説明】
【００２４】
２…カメラ、４…撮影光学系、６…撮像素子、１８…ＣＰＵ、２０…ＧＰＳモジュール、２２…電源制御回路、２６…操作部材、２８…バッテリ
【図１】
2012039571.tif 000003
【図２】
2012039571.tif 000004